(57)【要約】【課題】  アンテナの近傍に金属が存在する場合に、該金属に生じる渦電流損によるアンテナの受信効率の劣化を抑制すること。【解決手段】  コイル２４の外周面、及び、コイル２４が巻回されていないコア２２の両端部を覆うように、磁性層である磁性膜２６ａを設ける。磁性膜２６ａは、例えばコイル２４を巻回させたコア２２を、磁性体粉末を溶かした磁性体溶液中に浸すことで形成する。この場合、溶液中の磁性体粉末が、コイル２４の外表面及びコイル２４が巻回されていないコア２２の両端部に付着してほぼ一様な磁性膜２６ａが形成されたアンテナ２０Ａを、容易に製造することができる。【選択図】図４
2006105864.tif 000002
【特許請求の範囲】
【請求項１】
コアと、
このコアに巻回されたコイルと、
このコイルの外表面に設けられた磁性層と、
を備えるアンテナ。
【請求項２】
前記磁性層は、透磁率が異なる複数の磁性層が積層されて成ることを特徴とする請求項１に記載のアンテナ。
【請求項３】
前記複数の磁性層の間に絶縁層が設けられていることを特徴とする請求項２に記載のアンテナ。
【請求項４】
前記磁性層は、透磁率が前記コアより小さい磁性部材で成ることを特徴とする請求項１〜３の何れか一項に記載のアンテナ。
【請求項５】
前記磁性層は、磁性溶液の塗布により形成されて成ることを特徴とする請求項１〜４の何れか一項に記載のアンテナ。
【請求項６】
前記コイルは、前記コアの中央部分に巻回されており、
前記磁性層は、前記コイルの外表面から前記コイルが巻回されていない前記コアの両端部分にかけて設けられている、
ことを特徴とする請求項１〜５の何れか一項に記載のアンテナ。
【請求項７】
コアと、このコアに巻回されたコイルとを備え、金属部材に近接して配置されるアンテナにおいて、
前記コイルの外表面に、前記金属部材との距離に応じて透磁率が異なる複数の磁性層が設けられていることを特徴とするアンテナ。
【請求項８】
前記コイルは、前記コアの中央部分に巻回されており、
前記磁性層は、前記コイルの外表面から前記コイルが巻回されていない前記コアの両端部分にかけて設けられている、
ことを特徴とする請求項７に記載のアンテナ。
【請求項９】
請求項１〜８の何れか一項に記載のアンテナと、
このアンテナによる受信電波に基づいて標準タイムコードを生成するタイムコード生成手段と、
現在時刻を計時する計時手段と、
前記タイムコード生成手段によって生成された標準タイムコードに基づいて、前記計時手段により計時された現在時刻データを修正する時刻修正手段と、
を備える電波時計。
【請求項１０】
コアと、このコアに巻回されるコイルとを有する標準電波受信用のアンテナが、金属ケース内に配置された電波時計において、
前記金属ケース内面に、前記アンテナと前記金属ケース内面との距離に応じて透磁率の異なる磁性層が設けられていることを特徴とする電波時計。
【発明の詳細な説明】
【技術分野】
【０００１】
本発明は、アンテナ及び電波時計に関する。
【背景技術】
【０００２】
現在、各国（例えばドイツ、イギリス、スイス、日本等）において、時刻データ即ちタイムコード入りの長波標準電波が送出されている。我が国（日本）では、２つの送信所（福島県及び佐賀県）より、図２７に示すようなフォーマットのタイムコードで振幅変調した４０ｋＨｚ及び６０ｋＨｚの長波標準電波が送出されている。タイムコードは、正確な時刻の分の桁が更新される毎即ち１分毎に、１周期６０秒のフレームで送出されている。
【０００３】
近年では、このようなタイムコード入り標準電波を受信して現在時刻データを修正する、いわゆる電波時計が実用化されている。電波時計は、所定時間毎に、内蔵しているアンテナを介して標準電波を受信し、増幅復調してタイムコードを解読することにより現在時刻を修正している。
【０００４】
電波時計に内蔵される受信アンテナとしては、一般的にバーアンテナが用いられている。図２８（ａ）に、従来のアンテナの概略構成を示す。同図によれば、従来のアンテナ２０Ｚは、フェライトやアモルファス等の磁性体で形成される棒形状のコア２２と、コア２２の周囲に銅等の導線を巻回させて成るコイル２４と、を備えて構成される。
【０００５】
そして、このアンテナ２０Ｚを標準電波による磁界（以下、「信号磁界」と称する。）中に置くと、該磁界は、アンテナ２０Ｚに対して次のように作用する。尚、標準電波は波長が数Ｋｍに及ぶ長波を使用しているため、その磁界成分の大きさはアンテナサイズの範囲において、位置によって変わらない平行磁界とみなして良い。ここで、説明を簡明にするため、信号磁界を同図（ｂ）に示すような平行磁界であるとして、以下、説明する。
【０００６】
即ち、信号磁界中に、軸線が磁界方向と平行になるようにコア２２を置くと、同図（ｃ）に示すように、信号磁界による磁束（以下、「信号磁束」と称する。）Ｍ１は、周囲空間よりも比透磁率が高いコア２２に集中する。また、同図（ｄ）に示すように、アンテナ２０Ｚのコイル２４に交流電力を与えると、コイル２４に流れる交流電流の時間変化に応じた（即ち、向き及び大きさが変化する）磁束Ｍ３が発生する。
【０００７】
従って、アンテナ２０Ｚを信号磁界中に置くと、同図（ｅ）に示すように、信号磁束Ｍ１がコア２２に集中してコイル２４と鎖交し、コイル２４には、レンツの法則に従い、コイル２４内部での信号磁束Ｍ１の変化を妨げる向きに磁束（以下、「発生磁束」と称する。）Ｍ２を発生させるような誘導起電力Ｖが生じる。尚、信号磁界は交流磁界であり、信号磁束Ｍ１は大きさや向きが周期的に変化する。従って、誘導起電力Ｖは交流電力となり、発生磁束Ｍ２は、信号磁束Ｍ１の時間的変化に追従してその大きさや向きが周期的に変化する交流磁界となる。
【０００８】
そして、コイル２４に生じた誘導起電力Ｖは、コイル２４に接続された受信回路Ｓによって検出される。受信回路Ｓには、受信したい標準電波の周波数（４０ｋＨｚ又は６０ｋＨｚ）に同調させるための同調コンデンサＣressや損失抵抗Ｒaが含まれている。
【０００９】
このように構成される従来のアンテナ（バーアンテナ）において、標準電波の受信感度は、コイル内部での磁界の強さ（即ち、磁束密度）に依存する。そこで、より多くの信号磁束をコイル内に通過させて受信感度を向上させるべく、コア（磁性体）の両端部の断面積を大きくし、より多くの磁束を捕捉可能としたアンテナが知られている（例えば、特許文献１参照）。
【特許文献１】特開昭５５−９１２３７号公報
【発明の開示】
【発明が解決しようとする課題】
【００１０】
ところで、アンテナの近傍に金属が存在する場合、アンテナの受信感度が劣化（低下）するという問題があった。即ち、アンテナに発生した磁束（発生磁束）の一部が近傍金属を通過することでこの金属に渦電流が流れて渦電流損が発生し、アンテナの受信感度が劣化する。このため、例えば腕時計型の電波時計において、アンテナや時計モジュール等を内部に配置する時計ケースや裏蓋を金属形成した場合、発生磁束がこの金属形成された時計ケースや裏蓋を通過することで生じる渦電流損により、アンテナの受信感度の劣化が避けられなかった。この問題は、電波時計に限らず、小型ラジオ等、電波を受信するアンテナを備えた電子機器であれば何れでも生じ得る。
【００１１】
上記事情に鑑み、本発明は、アンテナの近傍に金属が存在する場合に、該金属に生じる渦電流損によるアンテナの受信効率の劣化を抑制することを目的としている。
【課題を解決するための手段】
【００１２】
上記課題を解決するために、請求項１に記載の発明は、
コア（例えば、図４のコア２２）と、
このコアに巻回されたコイル（例えば、図４のコイル２４）と、
このコイルの外表面に設けられた磁性層（例えば、図４の磁性膜２６ａ）と、
を備えることをアンテナ（例えば、図４のアンテナ２０Ａ）である。
【００１３】
また、請求項２に記載の発明は、請求項１に記載のアンテナにおいて、
前記磁性層は、透磁率が異なる複数の磁性層が積層されて成ることを特徴とする。
【００１４】
また、請求項３に記載の発明は、請求項２に記載のアンテナにおいて、
前記複数の磁性層の間に絶縁層（例えば、図２の絶縁シート２９）が設けられていることを特徴とする。
【００１５】
また、請求項４に記載の発明は、請求項１〜３の何れか一項に記載のアンテナにおいて、
前記磁性層は、透磁率が前記コアより小さい磁性部材で成ることを特徴とする。
【００１６】
また、請求項５に記載の発明は、請求項１〜４の何れか一項に記載のアンテナにおいて、
前記磁性層は、磁性溶液の塗布により形成されて成ることを特徴とする。
【００１７】
また、請求項６に記載の発明は、請求項１〜５の何れか一項に記載のアンテナにおいて、
前記コイルは、前記コアの中央部分に巻回されており、
前記磁性層は、前記コイルの外表面から前記コイルが巻回されていない前記コアの両端部分にかけて設けられている、
ことを特徴とする。
【００１８】
また、請求項７に記載の発明は、
コア（例えば、図２１〜図２３のコア２２）と、このコアに巻回されたコイル（例えば、図２１〜図２３のコイル２４）とを備え、金属部材（例えば、図２１〜図２３の時計ケース１０や裏蓋１２）に近接して配置されるアンテナ（例えば、図２１〜図２３のアンテナ２０Ｄ）において、
前記コイルの外表面に、前記金属部材との距離に応じて透磁率が異なる複数の磁性層（例えば、図２１〜図２３の磁性膜２６ｃ，２６ｄ）が設けられていることを特徴とするアンテナである。
【００１９】
また、請求項８に記載の発明は、請求項７に記載のアンテナにおいて、
前記コイルは、前記コアの中央部分に巻回されており、
前記磁性層は、前記コイルの外表面から前記コイルが巻回されていない前記コアの両端部分にかけて設けられている、
ことを特徴とする。
【００２０】
また、請求項９に記載の発明は、
請求項１〜８の何れか一項に記載のアンテナと、
このアンテナによる受信電波に基づいて標準タイムコードを生成するタイムコード生成手段（例えば、図９のタイムコード生成部７００）と、
現在時刻を計時する計時手段（例えば、図９の計時回路部８００）と、
前記タイムコード生成手段によって生成された標準タイムコードに基づいて、前記計時手段により計時された現在時刻データを修正する時刻修正手段（例えば、図９のＣＰＵ１００）と、
を備える電波時計（例えば、図９の腕時計１）である。
【００２１】
また、請求項１０に記載の発明は、
コア（例えば、図２１〜図２３のコア２２）と、このコアに巻回されるコイル（例えば、図２１〜図２３のコイル２４）とを有する標準電波受信用のアンテナ（例えば、図２１〜図２３のアンテナ３０Ｄ）が、金属ケース内（例えば、図２１〜図２３の時計ケース１０）に配置された電波時計（例えば、図２１〜図２３の腕時計４）において、
前記金属ケース内面に、前記アンテナと前記金属ケース内面との距離に応じて透磁率の異なる磁性層（例えば、図２１〜図２３の磁性膜２６ｃ，２６ｄ）が設けられていることを特徴とする。
【発明の効果】
【００２２】
請求項１に記載の発明によれば、コイルの外表面に磁性層が設けられたアンテナを実現できる。アンテナに発生した磁束（発生磁束）は、コイルの外表面に設けられた磁性層に引き寄せられて磁性層を通過する、或いは、磁性層の近傍を通過するように分布する。従って、例えばアンテナの近傍に金属が存在する場合に、発生磁束がこの近傍金属を通過することで生じる渦電流損を抑制して、アンテナの受信感度の劣化を抑制できる。
【００２３】
また、請求項２に記載の発明のように、請求項１に記載のアンテナの磁性層を、透磁率の異なる複数の磁性層から成るようにしても良い。
【００２４】
また、請求項３に記載の発明のように、請求項２に記載のアンテナにおける複数の磁性層の間に、絶縁層が設けることとしても良い。これにより、磁性層内での渦電流の発生を防止し、アンテナの受信感度の劣化を更に抑制できる。
【００２５】
また、請求項４に記載の発明によれば、磁性層の透磁率がコアより小さいアンテナを実現できる。磁性層の透磁率がコアの透磁率より小さいため、例えば標準電波といったコアを通過すべき信号の磁束（信号磁束）が磁性層を通過してしまうことを防止し、アンテナの受信感度の劣化を防止できる。
【００２６】
また、請求項５の記載の発明によれば、請求項１〜４の何れか一項に記載のアンテナにおいて、磁性層が、磁性溶液の塗布により形成されて成るアンテナを実現できる。ここで「磁性溶液」とは、アモルファスやフェライトといった磁性体の粉末を、例えば有機溶液型接着剤等の溶媒に溶かした液体である。この磁性溶液をコイルの外表面に塗布することで、磁性溶液中の磁性体の粉末が付着して磁性層が形成される。
【００２７】
また、請求項６に記載の発明によれば、請求項１〜５の何れか一項に記載のアンテナにおいて、磁性層が、コイルの外表面からコイルが巻回されていないコアの両端部分にかけて設けられたアンテナを実現できる。
【００２８】
また、請求項７に記載の発明によれば、コアとコイルとを備え、金属部材に近接して配置されるアンテナにおいて、コイルの外表面に、金属部材との距離に応じて透磁率が異なる複数の磁性層が設けられたアンテナを実現できる。磁性層の透磁率は金属部材の透磁率よりも大きいので、アンテナの発生磁束は、コイルの外表面に設けられた磁性層に引き寄せられて磁性層を通過する、或いは、磁性層の近傍を通過するように分布して、金属部材を殆ど通過しない。従って、発生磁束が金属部材を通過することで生じる渦電流損を抑制して、アンテナの受信感度の劣化を抑制できる。また、例えば金属部材との距離がより短い（即ち、金属部材に近い）程、磁性層の透磁率を大きく（高く）、金属部材との距離がより長い（即ち、金属部材に遠い）程、磁性層の透磁率を小さく（低く）することで、例えば標準電波といったコアを通過すべき信号磁束が磁性層を通過することを防止して、アンテナの受信感度の劣化を更に抑制できる。
【００２９】
また、請求項８に記載の発明によれば、請求項７に記載のアンテナにおいて、磁性層が、コイルの外表面からコイルが巻回されていないコアの両端部分にかけて設けられたアンテナを実現できる。
【００３０】
また、請求項９に記載の発明によれば、請求項１〜８の何れか一項に記載のアンテナを備えた電波時計を実現できる。従って、例えば時計ケースが金属形成される等、アンテナに近接して金属部材が配置される場合であっても、発生磁束がこの金属形成された時計ケースを通過することで生じる渦電流損を抑制して、アンテナの受信感度の劣化を抑制できる。
【００３１】
請求項１０に記載の発明によれば、標準電波受信用のアンテナが金属ケース内に配置され、この金属ケース内面に、アンテナと金属ケース内面との距離に応じて透磁率の異なる磁性層が設けられた電波時計を実現できる。磁性層の透磁率は金属ケースの透磁率よりも大きいので、アンテナの発生磁束は、磁性層を通過するように分布して金属ケースを殆ど通過しない。従って、発生磁束が金属ケースを通過することで生じる渦電流損を抑制し、アンテナの受信感度の劣化を抑制できる。
【発明を実施するための最良の形態】
【００３２】
以下、図面を参照して、本発明に好適な実施形態を説明する。尚、以下では、腕時計型の電波時計に本発明を適用した場合を説明するが、本発明を適用可能な実施形態がこれに限定されるものではない。
【００３３】
［第１実施形態］
先ず、第１実施形態を説明する。
【００３４】
＜腕時計の構造＞
図１は、第１実施形態における腕時計１の平面図である。同図によれば、腕時計１は、時計モジュールを内部に収納する、金属形成された時計ケース１０を備えている。時計ケース１０の外周部分であって６時及び１２時の位置それぞれには、これをユーザの手首に装着するための時計バンド６０が取り付けられているとともに、時計ケース１０の外周側面には、腕時計１の各種機能の実行を指示するためのスイッチ１１が設けられている。
【００３５】
図２は、腕時計１のＡ−Ａ´矢視断面図（１２時−６時断面図）であり、図３は、腕時計１の背面図である。図３では、裏蓋１２と、アンテナ２０Ａの下方部分に相当する回路押さえ３８の一部分を透視した状態で示している。図２、図３によれば、時計ケース１０は、ステンレスやチタン等の金属により、環状の短柱形状に形成されている。また、時計ケース１０の１２時及び６時の位置の側方部分には、時計バンド６０を取り付けるための延出部が形成されており、この延出部には、時計バンド６０を取り付けるピンを通す孔部が形成されている。
【００３６】
時計ケース１０の上端部（図２中、上側）には、この上端部を塞ぐように時計ガラス１７がパッキン１６を介して嵌められており、時計ケース１０の下端部（図２中、下側）には、この下端部を塞ぐように裏蓋１２がＯリング１３を介して取り付けられている。裏蓋１２は、ステンレスやチタン等の強度が強い金属により、厚みが薄いほぼ平板状に形成されている。
【００３７】
時計ケース１０の内部には、時刻計時を司る時計モジュールやアンテナ２０Ａ等が配置されている。時計モジュールは、上部ハウジング３１ａ及び下部ハウジング３１ｂを備える。上部ハウジング３１ａの上面にはソーラセル３４が配置され、更にその上方には文字板３２が配置されており、この文字板３２の上面にはリング状の見切り板１５が配置されている。また、文字板３２の６時寄りの位置に形成された開口部３２ａの下方には、時刻等を表示する液晶パネル３３が上部ハウジング３１ａに支持されて配置されている。即ち、腕時計１を正面から見たときに、文字板３２に形成された開口部３２ａを介して、液晶パネル３３に表示された時刻が視認できるようになっている。また、下部ハウジング３１ｂには、二次電池３７が組み込まれている。
【００３８】
上部ハウジング３１ａと下部ハウジング３１ｂとの間には、アナログ指針機構３５や、標準電波を受信するアンテナ２０Ａ、アンテナ２０Ａ等を接続してこれらを制御するＬＳＩ基板３６が配置されている。
【００３９】
ＬＳＩ基板３６が有する回路要素としては、ＣＰＵ等の制御ＩＣと、アンテナ２０Ａのコイル２４と銅等のリード線で電気的に接続されてコイル２４に生じた誘導起電力Ｖを検出し、検出した電気信号を増幅、又は復調して標準電波に含まれる時刻データ（即ち、タイムコード）を取り出す受信回路と、発振回路を有して現在時刻を計時する計時回路と、がある。制御ＩＣは、受信回路で取り出された時刻データに基づいて計時回路による計時時刻を修正し、修正した現在時刻を液晶パネル３３に表示させる、或いは修正した時刻を示すようにアナログ指針機構３５を制御して指針３５ａを運針させる等の処理を行う。
【００４０】
アナログ指針機構３５は、文字板３２の中央部に形成された軸孔からその上方に延びる指針軸と、この指針軸に取り付けられた時針や分針等の指針３５ａとを有し、指針３５ａを文字板３２の上方で運針させる。
【００４１】
図４（ａ）は、第１実施形態におけるアンテナ２０Ａの外観図であり、同図（ｂ）は、コアの軸方向に沿ったアンテナ２０Ａの断面図である。同図によれば、アンテナ２０Ａは、フェライトやアモルファス等の磁性材料で形成されたコア２２と、このコア２２の中央部分に、銅等の導線をほぼ均一な厚みで巻回させて成るコイル２４と、磁性膜２６ａとを備えて構成される。
【００４２】
磁性膜２６ａは、コイル２４の外周面全体、及び、コイル２４が巻回されていないコア２２の両端部を覆うように設けられた、磁性材料から成る膜（磁性層）である。この磁性膜２６ａの比透磁率は数十程度であり、数千程度であるコア２２の比透磁率よりも遥かに小さい。
【００４３】
ここで、磁性膜２６ａは、例えば次のように形成される。
図５は、アンテナ２０Ａにおける磁性膜２６ａの形成方法の一例を説明する図である。同図に示すように、コア２２とコイル２４とを備えるアンテナ部品を、溶液層９２内に満たされた磁性体溶液９４に浸す。磁性体溶液９４は、フェライトやアモルファス等の磁性体の微小粉末を、エポキシ樹脂といった有機溶液型接着剤に溶かした（混合した）液体である。尚、磁性体溶液として、磁性体粉末に代えてアルミや銅等の金属粉末を溶かした溶液を用いることとしても良い。
【００４４】
そして、所定時間をおいた後、このアンテナ部品を溶液層９２から取り出すと、図４に示したように、アンテナ部品（コア２２及びコイル２４）の外表面を覆うように磁性膜２６ａが形成される。詳細には、コイル２４の外周面と、コイル２４が巻回されていないコア２２の両端部の外表面とに、磁性体溶液９４中の磁性粉末がほぼ一様に付着することで磁性膜２６ａが形成される。
【００４５】
このとき、磁性体溶液９４の濃度（溶液中の磁性粉末の密度、即ち有機溶液型接着剤に溶かす磁性粉末の量）を変化させることで、形成される磁性膜２６ａの透磁率を調整することができる。つまり、磁性体溶液９４の濃度を高く（濃く）することで形成される磁性膜２６ａの透磁率を高くし、濃度を小さく（薄く）することで形成される磁性膜２６ａの透磁率を低くすることができる。
【００４６】
アンテナ２０Ａは、図２、図３に示すように、時計ケース１０の内部において１２時寄りの位置に、コア２２の軸線が３時−９時方向と平行に配置されている。また、アンテナ２０Ａは、コア２２の両端部それぞれが上部ハウジング３１ａにより支持されて、時計ケース１０の内周面及び裏蓋１２の上面（時計ケース１０の内部側の面）とは間隔をおいて配置されている。
【００４７】
そして、アンテナ２０Ａは、標準電波による磁界（信号磁界）中に置かれると、図６（ａ）に示すように、この信号磁界による磁束（信号磁束）Ｍ１が、周囲空間よりも透磁率が高いコア２２に集中してコイル２４に鎖交する。そして、コイル２４には、鎖交した（コイル２４内部を通過した）信号磁束Ｍ１の変化を妨げる向きに磁束（発生磁束）Ｍ２を発生させるような誘導起電力Ｖを生じる。尚、標準電波は大きさや向きが周期的に変化する交流信号であるので、コイル２４に生じる誘導起電力Ｖは交流電力となり、発生磁束Ｍ２は、信号磁束Ｍ１の時間変化に追従して大きさや向きが変化する交流磁界となる。
【００４８】
一般的に、磁束は、磁気抵抗ができる限り小さい経路を取るように分布する。つまり、発生磁束Ｍ２は、透磁率が空気中、又は時計ケース１０より高い磁性膜２６ａを通過する、或いは、磁性膜２６ａに引き寄せられてアンテナ２０Ａの近傍を通過するように分布する。即ち、同図（ｂ）に示す磁性膜２６ａを備えない場合と比較して、発生磁束Ｍ２の、コア２２の半径方向（同図では、上下方向）への広がりが小さくなる。
【００４９】
＜磁束分布＞
このように構成される腕時計１において、標準電波による信号磁束Ｍ１に対するアンテナ２０Ａの発生磁束Ｍ２は、図７、図８に示すように分布する。
図７、図８は、第１実施形態における磁束分布を示す図である。図７は、腕時計１の概略平面図を示し、図８は、腕時計１の３時−９時概略断面図を示している。図７、図８では、磁束の分布を理解し易くするため、時計ケース１０内においてアンテナ２０Ａのみを示している。
【００５０】
図６に示したように、アンテナ２０Ａの発生磁束Ｍ２は、磁性膜２６ａの近傍に集中して分布する。このため、図７に示すように、発生磁束Ｍ２は時計ケース１０を殆ど通過せず、時計ケース１０には、金属に磁束が通過することによる渦電流損が殆ど生じない。また、図８に示すように、発生磁束Ｍ２は裏蓋１２を殆ど通過せず、裏蓋１２には、金属に磁束が通過することによる渦電流損が殆ど生じない。
【００５１】
従って、時計ケース１０及び裏蓋１２には、発生磁束Ｍ２の通過による渦電流損が殆ど生じないため、金属形成された時計ケース１０及び裏蓋１２に起因するアンテナ２０Ａの受信効率の劣化（低下）が抑制される。尚、磁性膜２６ａの透磁率はコア２２の透磁率より遥かに小さいので、アンテナ２０Ａが受信すべき標準電波による信号磁束Ｍ１が、コア２２を通過することを妨げない。
【００５２】
＜腕時計の内部構成＞
図９は、腕時計１の内部構成を示すブロック図である。同図によれば、腕時計１は、ＣＰＵ１００と、入力部２００と、表示部３００と、ＲＯＭ４００と、ＲＡＭ５００と、電波受信装置６２０と、タイムコード生成部７００と、計時回路部８００と、発振回路部８２０と、を備えて構成される。また、発振回路部８２０を除く各部はバス９００によって接続され、発振回路部８２０は計時回路部８００に接続されている。
【００５３】
ＣＰＵ１００は、所定のタイミング或いは入力部２００から入力された操作信号に応じてＲＯＭ４００に格納されたプログラムを読み出してＲＡＭ５００に展開し、該プログラムに基づいて腕時計１を構成する各部への指示やデータの転送等を行う。具体的には、例えば所定時間毎に電波受信装置６２０を制御して標準電波の受信処理を実行し、タイムコード生成部７００から入力された標準タイムコードに基づいて計時回路部８００で計数される現在時刻データを修正する。
【００５４】
入力部２００は、腕時計１の各種機能の実行を指示するためのスイッチ１１を含み、このスイッチ１１が操作されると、対応する操作信号をＣＰＵ１００に出力する。
表示部３００は、文字板３２やＣＰＵ１００によって制御されるアナログ指針機構３５、液晶パネル３３を含み、計時回路部８００によって計時された現在時刻を表示する。
【００５５】
ＲＯＭ４００は、腕時計１にかかるシステムプログラムやアプリケーションプログラム、本実施の形態を実現するためのプログラムやデータ等を記憶する。
ＲＡＭ５００は、ＣＰＵ１００の作業領域として用いられ、ＲＯＭ４００から読み出されたプログラムやＣＰＵ１００で処理されたデータ等を一時的に記憶する。
【００５６】
電波受信装置６２０はアンテナ２０Ａを有しており、アンテナ２０Ａで受信した標準電波の不要な周波数成分をカットして該当する周波数信号を取り出し、この周波数信号を対応した電気信号に変換した信号をタイムコード生成部７００へ出力する。
【００５７】
タイムコード生成部７００は、電波受信装置６２０から入力された電気信号をデジタル信号に変換し、標準時刻コードや積算コード、曜日コード等の時計機能に必要なデータを含む標準タイムコードを生成してＣＰＵ１００に出力する。
【００５８】
計時回路部８００は、発振回路部８２０から入力される信号を計数して現在時刻を計時し、計時した現在時刻データをＣＰＵ１００に出力する。発振回路部８２０は、常時一定周波数のクロック信号を出力する回路である
【００５９】
＜作用・効果＞
以上のように、第１実施形態によれば、腕時計１において、時計ケース１０内に配置されるアンテナ２０Ａは、コイル２４の外表面、及び、コイル２４が巻回されていないコア２２の両端部を覆う磁性膜２６ａを備えて構成される。そして、標準電波による信号磁束Ｍ１に対するアンテナ２０Ａでの発生磁束Ｍ２は、磁性膜２６ａを通過する、或いは、磁性膜２６ａに引き寄せられてコイル２４の外表面近傍を通過するように分布し、時計ケース１０及び裏蓋１２を殆ど通過しない。従って、時計ケース１０及び裏蓋１２には、金属を磁束が通過することによる渦電流損が殆ど生じないので、金属形成された時計ケース１０及び裏蓋１２に起因するアンテナ２０Ａの受信感度の劣化（低下）が抑制される。
【００６０】
また、コア２２及びコイル２４から成るアンテナ部品を磁性体溶液９４中に浸すことで、コイル２４及びコイル２４が巻回されていないコア２２の両端部を覆う、ほぼ一様な磁性膜２６ａを形成することができる。このとき、磁性体溶液９４の濃度を変化させることで、形成される磁性膜２６ａの透磁率を調整することができる。このため、近傍金属に起因する受信感度の劣化を抑制したアンテナを、容易に製造することができる。
【００６１】
＜変形例＞
尚、上述した実施形態では、アンテナ２０Ａは、コイル２４の外表面と、コイル２４が巻回されていないコア２２の両端部とを覆うように磁性膜２６ａが設けられることとしたが、図１０に示すように、コイル２４の外表面のみに磁性膜を設けることとしても良い。図１０（ａ）は、コイル２４の外表面のみに磁性膜２６ａ−１を設けたアンテナ２０Ａ−１の外観図であり、同図（ｂ）は、アンテナ２０Ａ−１のコア２２の軸方向に沿った断面図である。この場合、例えばコア２２の両端部をマスキングして磁性体溶液９４に浸したり、或いは、コイル２４の外表面部分に磁性体溶液９２を塗る（塗装する）といったことにより、コイル２４の外表面にのみ磁性膜２６ａ−１を形成する。
【００６２】
［第２実施形態］
次に、第２実施形態を説明する。
第２実施形態において、上述した第１実施形態と同一の構成要素については同符合を付し、詳細な説明を省略する。
【００６３】
＜腕時計の構造＞
図１１は、第２実施形態における腕時計２の１２時−６時断面図であり、図１２は、腕時計２の概略平面図である。また、図１３は、図１２における腕時計２のＣ−Ｃ´矢視概略断面図である。図１２、図１３では、時計ケース１０内におけるアンテナ２０Ｂ及び磁性膜２６ｂの配置を理解し易いよう、時計ケース１０内部においてアンテナ２０Ｂ及び磁性膜２６ｂのみを示している。
【００６４】
図１１〜図１３によれば、腕時計２において、時計ケース１０内にはアンテナ２０Ｂが配置されている。アンテナ２０Ｂは、コア２２と、コイル２４とを備えて構成される。そして、アンテナ２０Ｂは、時計ケース１０の内部において１２時寄りの位置に、コア２２の軸線が３時−９時方向と平行に配置されている。
【００６５】
また、裏蓋１２の上面、及び、時計ケース１０の内周面には、磁性層である磁性膜２６ｂが設けられている。詳細には、磁性膜２６ｂは、裏蓋１２の上面の内、アンテナ２０Ｂとの対向部分（図１２では、１２時寄りの上部約１／３部分）と、時計ケース１０の内周面の内、アンテナ２０Ｂとの対向部分（裏蓋１２上面の上記対向部分に相当する部分。図１２では、１２時寄りの上部約１／３部分）にかけて設けられている。この磁性膜２６ｂの比透磁率は数十程度であり、数千程度であるコア２２の比透磁率より遥かに小さい。
【００６６】
磁性膜２６ｂは、例えば次のように形成される。
図１４は、磁性膜２６ｂの形成方法の一例を示す図である。同図に示すように、時計ケース１０に取り付け前の裏蓋１２の一部分（時計ケース１０に取り付けた際に、アンテナ２０Ｂとの対向部分に相当する部分）を、溶液層９２に満たされた磁性体溶液９４中に浸す。そして、所定時間をおいた後、この裏蓋１２を溶液層９２から取り出すと、裏蓋１２には、部分的にほぼ一様な磁性膜２６ｂが形成される。また、時計ケース１０については、時計ケース１０の内周面の該当部分に磁性体溶液９４を塗るといったことにより、磁性膜２６ｂを形成することができる。
【００６７】
尚、裏蓋１２を取り付けた時計ケース１０の一部分（アンテナ２０Ｂの対向部分に相当する部分）を磁性体溶液９４中に浸すことで、裏蓋１２及び時計ケース１０の表面に、部分的に磁性膜２６ｂを形成することとしても良い。
【００６８】
＜磁束分布＞
このように構成される腕時計２において、標準電波による信号磁束Ｍ１に対するアンテナ２０Ｂの発生磁束Ｍ２は、次のように分布する。
【００６９】
即ち、図１２に示すように、アンテナ２０Ｂの周囲空間の内、アンテナ２０Ｂと時計ケース１０の内周面とが対向する空間Ｐ１において、発生磁束Ｍ２は、磁気抵抗がより小さい磁性膜２６ｂを通過するように分布し、時計ケース１０を殆ど通過しない。このため、時計ケース１０には、金属を磁束が通過することによる渦電流損が殆ど生じない。
【００７０】
また、図１３に示すように、アンテナ２０Ｂの周囲空間の内、アンテナ２０Ｂと裏蓋１２の上面とが対向する空間Ｐ２において、発生磁束Ｍ２は、磁気抵抗がより小さい磁性膜２６ｂを通過するように分布し、裏蓋１２を殆ど通過しない。このため、裏蓋１２には、磁束が金属を通過することによる渦電流損が殆ど生じない。
【００７１】
従って、時計ケース１０及び裏蓋１２には、発生磁束Ｍ２による渦電流損が殆ど生じないため、金属形成された時計ケース１０及び裏蓋１２に起因するアンテナ２０Ｂの受信効率の劣化が抑制される。
【００７２】
尚、磁性膜２６ｂは、裏蓋１２の上面及び時計ケース１０の内周面において、全面ではなく部分的に設けられているので、アンテナ２０Ｂが受信すべき標準電波による信号磁束Ｍ１が、コア２２を通過することを妨げない。
【００７３】
＜作用・効果＞
以上のように、第２実施形態によれば、腕時計２では、裏蓋１２の上面の内、アンテナ２０Ｂとの対向部分と、時計ケース１０の内周面の内、アンテナ２０Ｂの対向部分とに磁性膜２６ｂが設けられている。そして、標準電波による信号磁束Ｍ１に対するアンテナ２０Ｂの発生磁束Ｍ２は、磁性膜２６ｂを通過するように分布し、時計ケース１０及び裏蓋１２を殆ど通過しない。従って、時計ケース１０及び裏蓋１２には、金属を磁束が通過することによる渦電流損が殆ど生じないので、金属形成された時計ケース１０及び裏蓋１２に起因するアンテナ２０Ｂの受信感度の劣化を抑制できる。
【００７４】
［第３実施形態］
次に、第３実施形態を説明する。
第３実施形態は、第１実施形態の腕時計１において、アンテナ２０Ａを、図１５に示すアンテナ２０Ｃに置き換えた実施形態である。以下、第３実施形態において、上述した第１、第２実施形態と同一の構成要素については同符合を付し、詳細な説明を省略する。
【００７５】
＜アンテナ＞
図１５は、第３実施形態におけるアンテナ２０Ｃを示す図である。同図（ａ）は、アンテナ２０Ｃの外観図を示し、同図（ｂ）は、コア２２の軸方向に沿ったアンテナ２０Ｃの断面図を示している。同図に示すように、アンテナ２０Ｃは、コア２２と、コイル２４と、磁性シート２８ａ，２８ｂ，２８ｃ（以下、包括的に「磁性シート２８」と称する。）とを備えて構成される。そして、アンテナ２０Ｃは、時計ケース１０内において１２時寄りの位置に、コア２２の軸方向が３時−９時方向と平行に配置されている。
【００７６】
磁性シート２８ａ，２８ｂ，２８ｃは、コイル２４の外表面を包むように重ねて設けられている。具体的には、コイル２４の外表面を覆うように磁性シート２８ａが密着して巻かれて設けられ、その外表面に磁性シート２８ｂが密着して巻かれて設けられ、更にその外表面に磁性シート２８ｃが密着して巻かれて設けられている。即ち、コイル２４の外表面には、磁性シート２８ａ，２８ｂ，２８ｃが層を成すように設けられている。
【００７７】
また、磁性シート２８ａ，２８ｂ，２８ｃは、透磁率がそれぞれ異なる。具体的には、磁性シート２８ａの透磁率が最も大きく、磁性シート２８ｂの透磁率が次に大きく、そして、磁性シート２８ｃの透磁率が最も小さい。即ち、アンテナ２０Ｃでは、３枚の磁性シート２８ａ，２８ｂ，２８ｃが、コイル２４に近い程、透磁率が大きくなるように設けられている。但し、磁性シート２８ａ，２８ｂ，２８ｃそれぞれの透磁率は、コイル２２の透磁率よりは小さい。
【００７８】
尚、同図に示すアンテナ２０Ｃでは、３枚の磁性シート２８ａ，２８ｂ，２８ｃを備えているが、勿論これは何枚であっても良い。この場合、コイル２４に近い（内側）ほど透磁率が大きくなるよう、各磁性シート２８を順に重ねて設ける。
【００７９】
磁性シート２８は、例えば図１６の拡大断面図に示すように、ＰＣパーマロイといった磁性体粉末ＭＰ１や金属粉末ＭＰ２を、クロロブレンゴムといった絶縁部材Ｉ中に、均一に分散、埋没させたシート状の部材である。ここで、磁性体粉末ＭＰ１や金属粉末ＭＰ２は、その直径が、例えばナノメートルオーダの微小粉末である。そして、分散、埋没されている磁性体粉末ＭＰ１や金属粉末ＭＰ２の密度によって、磁性シート２８の透磁率が変化する。
【００８０】
また、この磁性シート２８は、外部磁界に対する遮蔽効果を持つ。
図１７は、磁性シート２８の減衰特性の一例を示す図であり、横軸を周波数、縦軸を減衰率としたグラフを示している。同図によれば、この磁性シート２８は、１０［Ｈｚ］から１００［Ｈｚ］までの信号に対して約８０［％］の減衰率を持ち、信号が１００［Ｈｚ］を超えると減衰率が低下していく特性を持つ。特に、標準電波は４０［ＫＨｚ］或いは６０［ＫＨｚ］の信号であり、この範囲に対しては５２〜５３［％］の減衰率を有している。
【００８１】
＜磁束分布＞
図１８、図１９は、第３実施形態における発生磁束Ｍ２の分布図である。図１８は、第３実施形態における腕時計３の概略平面図を示し、図１９は、腕時計３の３時−９時概略断面図を示している。図１８、図１９では、磁束の分布を理解し易くするため、時計ケース１０内においてアンテナ２０Ｃのみを示している。
【００８２】
図１８、図１９に示すように、発生磁束Ｍ２は、その大部分が磁性シート２８ａ，２８ｂ，２８ｃに遮蔽されて、アンテナ２０Ｃの周囲空間に漏れ出る磁束（漏れ磁束）が極めて少ない。従って、時計ケース１０及び裏蓋１２を通過する発生磁束Ｍ２が極めて少ないので、時計ケース１０及び裏蓋１２には、金属を磁束が通過することによる渦電流損が殆ど生じない。このため、金属形成された時計ケース１０及び裏蓋１２に起因するアンテナ２０Ｃの受信感度の劣化が抑制される。
【００８３】
また、発生磁束Ｍ２は、アンテナ２０Ｃから離れるに従って磁束密度が小さく（磁界が弱く）なる。このため、透磁率が異なる複数の磁性シート２８を、コイル２４に近いほど透磁率が大きく、コイル２４から離れるに従って透磁率が小さくなるように設けることで、アンテナ２０Ｃの外部空間に漏れ出る発生磁束Ｍ２を効率良く遮蔽するとともに、アンテナ２０Ｃが受信すべき標準電波による信号磁束Ｍ１が磁性シート２８に遮蔽されてコア２２を通過できずにアンテナ２０Ｃの受信効率が劣化してしまうことを防止できる。
【００８４】
＜作用・効果＞
以上のように、第３実施形態によれば、腕時計３において、時計ケース１０内に配置されるアンテナ２０Ｃは、コイル２４の外表面を覆うように、透磁率が異なる複数の磁性シート２８ａ，２８ｂ，２８ｃが層を成すように巻かれて設けられている。そして、標準電波による信号磁束Ｍ１に対するアンテナ２０Ｃの発生磁束Ｍ２は、これらの磁性シート２８ａ，２８ｂ，２８ｃによって遮蔽され、アンテナ２０Ｃの外部空間への漏れ磁束は極めて少なくなる。即ち、時計ケース１０及び裏蓋１２を通過する発生磁束Ｍ２が極めて少なくなり、時計ケース１０及び裏蓋１２には、磁束が金属を通過することによる渦電流損が殆ど生じないので、金属形成された時計ケース１０及び裏蓋１２に起因するアンテナ２０Ｃの受信感度の劣化が抑制される。
【００８５】
＜変形例＞
尚、上述したアンテナ２０Ｃにおいて、複数の磁性シート２８ａ，２８ｂ，２８ｃそれぞれの間に、絶縁層である絶縁シートを設けることとしても良い。図２０は、磁性シート２８ａ，２８ｂ，２８ｃそれぞれの間に絶縁シート２９を設けたアンテナ２０Ｃ−１を示す図であり、コア２２の軸方向に沿ったアンテナ２０Ｃ−１に断面図を示している。絶縁シート２９とは、絶縁材料から成るシート状の部材である。磁性シート２８の間に絶縁シート２９を設けることで、磁性シート２８内での渦電流の発生を防止し、アンテナ２０Ｃ−１の受信効率の劣化を更に抑制できる。
【００８６】
［第４実施形態］
次に、第４実施形態を説明する。
第４実施形態において、上述した第１〜第３実施形態と同一の構成要素については同符合を付し、詳細な説明を省略する。
【００８７】
＜腕時計の構造＞
図２１は、第４実施形態における腕時計４の１２時−６時断面図であり、図２２は、腕時計４の概略平面図であり、図２３は、腕時計４の３時−９時概略断面図である。図２２、図２３では、時計ケース１０内におけるアンテナ２０Ｄの配置を理解し易くするため、時計ケース１０内においてアンテナ２０Ｄのみを示している。
【００８８】
図２１〜図２３によれば、時計ケース１０内には、アンテナ２０Ｄが配置されている。アンテナ２０Ｄは、コア２２と、コイル２４と、磁性膜２６ｃ，２６ｄとを備えている。そして、アンテナ２０Ｄは、時計ケース１０の内部において１２時寄りの位置に、コア２２の軸方向が３時−９時方向と平行に配置されている。
【００８９】
磁性膜２６ｃ，２６ｄは、コイル２４の外表面にコア２２の軸方向に沿って設けられた磁性部材からなる膜（磁性層）であり、金属部材との対向部分に設けられている。具体的には、磁性膜２６ｃは、コイル２４の外表面において、時計ケース１０との対向部分（図２１中、コイル２４の右部分）に設けられている。また、磁性膜２６ｄは、コイル２４の外表面において、裏蓋１２との対向部分（図２１中、コイル２４の下部分）に設けられている。
【００９０】
磁性膜２６ｃ，２６ｄの比透磁率は数十程度であり、数千程度であるコア２２の比透磁率より遥かに小さい。また、磁性膜２６ｃ，２６ｄの透磁率はそれぞれ異なり、近傍金属との間の距離が短い（近傍金属により近い）方が大きくなっている。図２１では、アンテナ２０Ｄと時計ケース１０の内周面との間の距離の方が、アンテナ２０Ｄと裏蓋１２の上面との間の距離よりも短い。このため、磁性膜２６ｃの透磁率の方が、磁性膜２６ｄの透磁率よりも大きくなっている。
【００９１】
また、磁性膜２６ｃ，２６ｄは、磁性体溶液をコイル２４の外表面に塗布することで形成される。塗布する磁性体溶液の濃度が濃いほど、形成される磁性膜２６ｃ，２６ｄの透磁率が高くなる。従って、磁性膜２６ｃは、磁性膜２６ｄよりも濃度が高い磁性体溶液を塗布することで形成される。このとき、塗布する磁性体溶液の濃度を可変することで、形成される磁性膜２６ｃ，２６ｄの透磁率を調整することができる。
【００９２】
＜磁束分布＞
このように構成される腕時計４において、信号磁束Ｍ１に対するアンテナ２０Ｄの発生磁束Ｍ２は、次のように分布する。
【００９３】
即ち、図２２に示すように、磁性膜２６ｃを含む空間Ｐ３において、発生磁束Ｍ２は、磁性膜２６ｃに引き寄せられて磁性膜２６ｃを通過する、或いは、磁性膜２６ｃの近傍を通過するように分布し、時計ケース１０を殆ど通過しない。このため、時計ケース１０には、金属を磁束が通過することによる渦電流損が殆ど生じない。
【００９４】
また、図２３に示すように、磁性膜２６ｄを含む空間Ｐ４において、発生磁束Ｍ２は、磁性膜２６ｄを通過する、或いは、磁性膜２６ｄの近傍を通過するように分布し、裏蓋１２を殆ど通過しない。このため、裏蓋１２には、金属を磁束が通過することによる渦電流損が殆ど生じない。
【００９５】
従って、時計ケース１０及び裏蓋１２には、発生磁束Ｍ２の通過による渦電流損が殆ど生じないため、金属形成された時計ケース１０及び裏蓋１２に起因するアンテナ２０Ｄの受信効率の劣化が抑制される。
【００９６】
＜作用・効果＞
以上のように、第４実施形態によれば、腕時計４において、アンテナ２０Ｄは、コイル２４の外表面の内、金属部材である時計ケース１０及び裏蓋１２との対向部分それぞれに磁性膜２６ｃ，２６ｄを設けて構成されている。そして、標準電波による信号磁束Ｍ１に対するアンテナ２０Ｄの発生磁束Ｍ２は、金属形成された時計ケース１０及び裏蓋１２それぞれと対向する空間において、磁性膜２６ｃ，２６ｄを通過する、或いは、磁性膜２６ｃ，２６ｄの近傍を通過するように分布し、時計ケース１０及び裏蓋１２を殆ど通過しない。このため、時計ケース１０及び裏蓋１２には、磁束が金属を通過することによる渦電流損が殆ど生じないので、金属形成された時計ケース１０及び裏蓋１２に起因するアンテナ２０Ｄの受信効率の劣化が抑制される。
【００９７】
また、発生磁束Ｍ２は、アンテナ２０Ｄから離れるに従って磁束密度が小さく（磁界が弱く）なり、磁性体は、透磁率が大きい程、より遠くの磁束をも引き寄せることが可能である。このため、磁性膜２６ｃ，２６ｄを、それぞれの近傍金属（即ち、時計ケース１０又は裏蓋１２）との間の距離に応じた透磁率のものとすることで、近傍金属に起因する受信感度の劣化を効率良く抑制したアンテナを製造することができる。
【００９８】
＜変形例＞
尚、上述したアンテナ２０Ｄでは、コイル２４の外表面のみに磁性膜２６ｃ，２６ｄが設けられることとしたが、コイル２４の外表面に加え、コイル２４が巻回されていないコア２２の両端部分を覆うように磁性膜２６ｃ，２６ｄが形成されることとしても良い。
【００９９】
［第５実施形態］
次に、第５実施形態を説明する。
第５実施形態において、上述した第１〜第４実施形態と同一の構成要素については同符合を付し、詳細な説明を省略する。
【０１００】
＜腕時計の構造＞
図２４は、第５実施形態における腕時計５の１２時−６時断面図を示し、図２５は、腕時計５の概略平面図を示している。また、図２６は、図２５における腕時計５のＤ−Ｄ´矢視断面図を示している。図２５、図２６では、時計ケース１０内におけるアンテナ２０Ｅの配置を理解し易くするため、時計ケース１０内においてアンテナ２０Ｅのみを示している。
【０１０１】
図２４〜図２６によれば、腕時計５において、時計ケース１０内にはアンテナ２０Ｅが配置される。アンテナ２０Ｅは、コア２２と、コイル２４とを備えている。そして、アンテナ２０Ｅは、時計ケース１０内において１２時寄りの位置に、コア２２の軸方向が３時−９時方向と平行に配置されている。
【０１０２】
時計ケース１０の内周面の内、アンテナ２０Ｅとの対向部分（図２５では、１２時寄りの上部約１／３部分）には、磁性層である磁性膜２６ｅが設けられている。また、裏蓋１２の上面の内、アンテナ２０Ｅの対向部分（時計ケース１０内周面の上記対向部分に相当する部分。図２５では、１２時寄りの上部約１／３部分）には、磁性層である磁性膜２６ｆが設けられている。
【０１０３】
磁性膜２６ｅ，２６ｆの比透磁率は数十程度であり、数千程度であるコア２２の比透磁率より遥かに小さい。また、磁性膜２６ｅ，２６ｆの透磁率はそれぞれ異なり、近傍金属との間の距離が短い（近傍金属により近い）方が、透磁率が大きくなっている。図２４では、アンテナ２０Ｅと時計ケース１０の内周面との間の距離の方が、アンテナ２０Ｅと裏蓋１２の上面との間の距離よりも短い。このため、磁性膜２６ｆの透磁率の方が、磁性膜２６ｅの透磁率よりも大きくなっている。
【０１０４】
また、磁性膜２６ｅ，２６ｆは、磁性体溶液を塗布することで形成される。上述のように、塗布する磁性体溶液の濃度が高い程、形成される磁性膜２６ｅ，２６ｆの透磁率が高くなる。従って、磁性膜２６ｅは、磁性膜２６ｆよりも濃度が高い磁性体溶液を塗布することで形成される。このとき、塗布する磁性体溶液の濃度を可変することで、形成される磁性膜２６ｅ，２６ｆの透磁率を調整することができる。
【０１０５】
＜磁束分布＞
このように構成される腕時計５において、標準電波による信号磁束Ｍ１に対するアンテナ２０Ｅの発生磁束Ｍ２は、次のように分布する。
【０１０６】
即ち、図２５に示すように、アンテナ２０Ｅの周囲空間の内、磁性膜２６ｅを含む空間Ｐ５において、発生磁束Ｍ２は、磁性膜２６ｅを通過するように分布し、時計ケース１０を殆ど通過しない。このため、時計ケース１０には、金属を磁束が通過することによる渦電流損が殆ど生じない。
【０１０７】
また、図２６に示すように、アンテナ２０Ｅの周囲空間の内、磁性膜２６ｆを含む空間Ｐ６において、発生磁束Ｍ２は、磁性膜２６ｆを通過するように分布し、裏蓋１２を殆ど通過しない。このため、裏蓋１２には、金属を磁束が通過することによる渦電流損が殆ど生じない。
【０１０８】
従って、時計ケース１０及び裏蓋１２には、発生磁束Ｍ２の通過による渦電流損が殆ど生じないため、金属形成された時計ケース１０及び裏蓋１２に起因するアンテナ２０Ｅの受信効率の劣化が抑制される。
【０１０９】
＜作用・効果＞
以上のように、第５実施形態によれば、腕時計５では、時計ケース１０の内周面の内、アンテナ２０Ｅとの対向部分に磁性膜２６ｅが設けられているとともに、裏蓋１２の上面の内、アンテナ２０Ｅと対向部分に磁性膜２６ｆが設けられている。そして、標準電波による信号磁束Ｍ１に対するアンテナ２０Ｅでの発生磁束Ｍ２は、磁性膜２６ｅ，２６ｆを通過するように分布し、時計ケース１０及び裏蓋１２を殆ど通過しない。このため、時計ケース１０及び裏蓋１２には、金属を磁束が通過することによる渦電流損が殆ど生じないので、金属形成された時計ケース１０及び裏蓋１２に起因するアンテナ２０Ｅの受信感度の劣化を抑制できる。
【０１１０】
また、発生磁束Ｍ２は、アンテナ２０Ｅから離れるに従って磁束密度が小さく（磁界が弱く）なる。このため、磁性膜２６ｅ，２６ｆそれぞれの透磁率を、アンテナ２０Ｅとの間の距離に応じた値に適当に調整することで、近傍金属に起因する受信感度の劣化を効率良く抑制したアンテナを製造することができる。
【０１１１】
［変形例］
以上、５つの実施形態を説明したが、本発明の適用は、上述した実施形態に限定されることなく、本発明の趣旨を逸脱しない範囲で適宜変更可能である。
【図面の簡単な説明】
【０１１２】
【図１】第１実施形態における腕時計の正面図。
【図２】第１実施形態における腕時計の断面図。
【図３】第１実施形態における腕時計の背面図。
【図４】第１実施形態におけるアンテナの構成図。
【図５】第１実施形態における磁性膜の形成方法の一例。
【図６】図４のアンテナでの磁束分布図。
【図７】第１実施形態における発生磁束の分布図。
【図８】第１実施形態における発生磁束の分布図。
【図９】腕時計の内部構成図。
【図１０】コイルの外表面のみに磁性膜を設けたアンテナの構成図。
【図１１】第２実施形態の腕時計の断面図。
【図１２】第２実施形態における腕時計の概略平面図。
【図１３】第２実施形態における腕時計の概略断面図。
【図１４】第２実施形態における磁性膜の形成方法の一例。
【図１５】第３実施形態におけるアンテナの構成図。
【図１６】磁性シートの構造図。
【図１７】磁性シートの減衰特性図。
【図１８】第３実施形態における発生磁束の分布図。
【図１９】第３実施形態における発生磁束の分布図。
【図２０】磁性シート間に絶縁シートを設けたアンテナの構成図。
【図２１】第４実施形態における腕時計の断面図。
【図２２】第４実施形態における腕時計の概略平面図。
【図２３】第４実施形態における腕時計の概略断面図。
【図２４】第５実施形態における腕時計の断面図。
【図２５】第５実施形態における腕時計の概略平面図。
【図２６】第５実施形態における腕時計の概略断面図。
【図２７】タイムコードのフォーマット。
【図２８】従来のアンテナの構成及び信号磁界の作用を示す図。
【符号の説明】
【０１１３】
１，２，３，４，５  腕時計
１０  時計ケース
１２  裏蓋
２０Ａ，２０Ｂ，２０Ｃ，２０Ｄ，２０Ｅ  アンテナ
２２  コア
２４  コイル
２６ａ，２６ｂ，２６ｃ，２６ｄ，２６ｅ，２６ｆ  磁性膜（磁性層）
２８ａ，２８ｂ，２８ｃ  磁性シート（磁性層）
２９  絶縁シート（絶縁層）
Ｍ１  信号磁束
Ｍ２  発生磁束
【図１】
2006105864.tif 000003
【図２】
2006105864.tif 000004
【図３】
2006105864.tif 000005
【図４】
2006105864.tif 000006
【図５】
2006105864.tif 000007
【図６】
2006105864.tif 000008
【図７】
2006105864.tif 000009
【図８】
2006105864.tif 000010
【図９】
2006105864.tif 000011
【図１０】
2006105864.tif 000012
【図１１】
2006105864.tif 000013
【図１２】
2006105864.tif 000014
【図１３】
2006105864.tif 000015
【図１４】
2006105864.tif 000016
【図１５】
2006105864.tif 000017
【図１６】
2006105864.tif 000018
【図１７】
2006105864.tif 000019
【図１８】
2006105864.tif 000020
【図１９】
2006105864.tif 000021
【図２０】
2006105864.tif 000022
【図２１】
2006105864.tif 000023
【図２２】
2006105864.tif 000024
【図２３】
2006105864.tif 000025
【図２４】
2006105864.tif 000026
【図２５】
2006105864.tif 000027
【図２６】
2006105864.tif 000028
【図２７】
2006105864.tif 000029
【図２８】
2006105864.tif 000030